(57)【要約】【課題】  古い遊戯台を入れ替えるときシリンダ錠を取付対象物から容易に取り外すことができる着脱機構を提案する。【解決手段】  シリンダ錠が外方に抜け出ることを防止するため、保持筒２内の環堤部３の一の角度位置に、内端が外筒７の小径部を貫通して内筒６の外周面に接合する抜け止板１４を内筒の半径方向に移動可能に案内すると共に内方に付勢し、一方、上記抜け止板を外方に押動してシリンダ錠を抜け止板から解放するため、先端に変換用チップ１７を装着して長くした合鍵を鍵孔に挿入することにより、クラッチを外して内筒を自由にして内筒を１８０度回し、内筒に収納され、半径方向に移動可能に案内された抜き取り板１５と抜け止め板１４との角度位置を合せ、次いで、合鍵を抜いて、先端を斜に削いだ抜き取り専用鍵を差込むことにより抜き取り板１５を介して抜け止め板１４を外方に押出す。【選択図】  図７
2008121380.tif 000002
【特許請求の範囲】
【請求項１】
取付対象物に固定される座板と、この座板の外面に突設され、両端が開口した保持筒と、この保持筒の座板に近い基部内面に形成された環堤部とを有する固定部材に対し、内端部に上記環堤部を潜り抜けることかできる小径部を形成し、内側に内筒を回動可能に嵌装した外筒を有するシリンダ錠を着脱可能に装着するものであって、上記保持筒の環堤部に関しシリンダ錠とは反対側における保持筒内にテールピースを回動可能に配設し、このテールピースの外端面に、前方に付勢され、テールピースの外端面への投影形状が異形のクラッチを前後方向に移動可能に案内すると共に、このクラッチに対向する内筒の内端面に上記クラッチと嵌合する異形孔を開口させ、以て、シリンダ錠が保持筒に収納され、クラッチが内筒内端面の異形孔と嵌合しているときには、シリンダ錠の内筒とテールピースとを円周方向において拘束して、内筒とテールピースとが一体的に回動できるようにし、一方、上記シリンダ錠が外方に抜け出ることを防止するため、上記環堤部の一の角度位置に、内端が外筒の小径部を貫通して内筒の外周面に接合する抜け止板を内筒の半径方向に移動可能に案内すると共に内方に付勢し、他方、上記抜け止板を外方に押動してシリンダ錠を抜け止板から解放するため、シリンダ錠の軸線方向において抜け止板と同じ位置にあり、抜け止板とは異なる角度位置における内筒に、半径方向に移動可能に案内され、内端がシリンダ錠の鍵孔と干渉する抜き取り板を設け、シリンダ錠を保持筒から抜き取るとき、合鍵の先端を長くした変換用合鍵を鍵孔に挿入することによってクラッチを内筒内端面の異形孔から抜き外し、以て内筒をテールピースから自由にし、更に内筒を所定の方向に回動させて抜き取り板と抜け止板の角度位置を合わせ、次いで、変換用合鍵を鍵孔から抜き、この変換用合鍵に代えて、先端を斜に削いだ抜き取り専用キーを鍵孔に挿入することにより、抜き取り専用キーと抜き取り板との間に生じる楔作用により抜き取り板を外方に移動させ、抜き取り板と抜け止板との接合部を外筒と上記環堤部との接合線に合致させることによりシリンダ錠を保持筒から抜くようにしたことを特徴とするシリンダ錠の着脱機構。
【請求項２】
取付対象物に固定される座板と、この座板の外面に突設され、両端が開口した保持筒と、この保持筒の座板に近い基部内面に形成された環堤部とを有する固定部材に対し、内端部に上記環堤部を潜り抜けることかできる小径部を形成し、内側に内筒を回動可能に嵌装した外筒を有するシリンダ錠を着脱可能に装着するものであって、上記保持筒の環堤部に関しシリンダ錠とは反対側における保持筒内にテールピースを回動可能に配設し、このテールピースの外端面に、前方に付勢され、テールピースの外端面への投影形状が異形のクラッチを前後方向に移動可能に案内すると共に、このクラッチに対向する内筒の内端面に上記クラッチと嵌合する異形孔を開口させ、以て、シリンダ錠が保持筒に収納され、クラッチが内筒内端面の異形孔と嵌合しているときには、シリンダ錠の内筒とテールピースとを円周方向において拘束して、内筒とテールピースとが一体的に回動できるようにし、一方、上記シリンダ錠が外方に抜け出ることを防止するため、上記環堤部の一の角度位置に、内端が外筒の小径部を貫通して内筒の外周面に接合する抜け止板を内筒の半径方向に移動可能に案内すると共に内方に付勢し、他方、上記抜け止板を外方に押動してシリンダ錠を抜け止板から解放するため、シリンダ錠の軸線方向において抜け止板と同じ位置にあり、抜け止板とは異なる角度位置における内筒に、半径方向に移動可能に案内され、内端がシリンダ錠の鍵孔と干渉する抜き取り板を設け、シリンダ錠を保持筒から抜き取るとき、先端に変換用チップを装着した合鍵を鍵孔に挿入することによってクラッチを内筒内端面の異形孔から抜き外し、以て内筒をテールピースから自由にし、更に内筒を所定の方向に回動させて抜き取り板と抜け止板の角度位置を合わせ、次いで、変換用合鍵を鍵孔から抜き、この変換用合鍵に代えて、先端を斜に削いだ抜き取り専用キーを鍵孔に挿入することにより、抜き取り専用キーと抜き取り板との間に生じる楔作用により抜き取り板を外方に移動させ、抜き取り板と抜け止板との接合部を外筒と上記環堤部との接合線に合致させることによりシリンダ錠を保持筒から抜くようにしたことを特徴とするシリンダ錠の着脱機構。
【発明の詳細な説明】
【技術分野】
【０００１】
この発明は、シリンダ錠の着脱機構（以下単に着脱機構という）に係り、特に、簡単な機構で容易にシリンダ錠を取付対象物に対し着脱できる着脱機構に関する。
【背景技術】
【０００２】
本出願人は、先に、下記特許文献１を以て、新規な可変シリンダ錠を提案した。
この可変シリンダ錠は、外筒と、この外筒の内側に回動可能に嵌合する内筒とを有してなり、外筒の内周面の一の角度位置に、その母線に沿って横断面Ｖ字形のカム溝を形成すると共に、このカム溝から内筒の回動角度以上隔たった他の角度位置に作動溝を形成し、一方、内筒をその回動軸に平行な平面により内筒Ａと内筒Ｂとに分割して、内筒の回動軸を含む鍵孔を内筒Ａ側に残し、また、内筒Ａにより内筒Ｂを回動軸線方向の動きを拘束すると共に、内筒Ａに関し内筒Ｂを半径方向に移動可能に案内し、更にまた、内筒Ｂを内筒Ａから離間する方向に付勢し、他方、内筒Ａの回動軸に沿って列設された複数のスロットの夫々に、鍵挿通孔を開口させた板状のタンブラーＡを内筒半径方向に移動可能に挿設すると共に各タンブラーＡを所定の方向に付勢し、また、各タンブラーＡの内筒Ｂ側の側端縁に突歯列を形成し、一方、内筒Ｂの内筒Ａに対向する面に、各タンブラーＡに対応して、同数のタンブラーＢを半径方向に移動可能に配設すると共に、各タンブラーＢのタンブラーＡ側に、タンブラーＡの突歯列と噛み合い可能な突歯列を形成し、また、各タンブラーＢの突歯列とは反対側の部分に解錠切欠を形成し、更にまた、内筒Ｂの外筒内周面に対向する側に、外筒の母線方向に延在し、外側を上記カム溝と係合可能な断面Ｖ字形に成形すると共に、内側に上記タンブラーＢの解錠切欠に係入可能な突条を形成したロッキングバーを内筒半径方向に移動可能に支承し、更に、このロッキングバーを外方に、すなわち、外筒のカム溝に進入する方向に付勢し、以て、内筒の鍵孔に合鍵を挿入したとき、合鍵の鍵溝とタンブラーＡの開口端縁との係合によって定まる各タンブラーＢの解錠切欠の位置をロッキングバーの突条に整合可能にし、他方、内筒の内端に、テールピースの外端を相対回動可能に連結すると共に、その摺動面に跨がるように、外方に付勢された連結ピンを設け、以て常態においては内筒とテールピースを一体的に結合し、また、外筒に上記連結ピンの頂部を内筒とテールピースの摺動面に整合させて内筒とテールピースの結合を解く解除部材を配設したことを特徴とするもので、それまでの合鍵と新しい合鍵とを用いて簡単に鍵違いを変更することができる。
【特許文献１】特願２００６−１５４００２
【発明の開示】
【発明が解決しようとする課題】
【０００３】
上記した構成の可変シリンダ錠は、パチンコ台やスロットマシン等の遊戯台の点検扉等に装着されて使用される。
【０００４】
ところで、遊戯台に取り付けられて使用されるシリンダ錠は、その目的或いは性質上、取付対象物から取り外すことは非常に困難である。
【０００５】
そのため、遊戯台を入れ替えるとき、それまでのシリンダ錠を取り外して新しい遊戯台に装着することが事実上不可能なので、古い遊戯台ごと古いシリンダ錠も廃棄し、遊戯台の入れ替え毎に多数のシリンダ錠も一緒に廃棄されてしまう、という不都合がある。
【０００６】
このことは、資源の無駄使いになるばかりでなく、廃棄された多量のシリンダ錠の処理のため、新たな環境問題も生じる。
【０００７】
そこで、この発明は、古い遊戯台を入れ替えるときシリンダ錠を取付対象物から容易に取り外すことができる着脱機構を提案し、以て上記した不都合を解消することを目的としている。
【課題を解決するための手段】
【０００８】
上記の目的を達成するため、請求項１に記載の発明は、取付対象物に固定される座板と、この座板の外面に突設され、両端が開口した保持筒と、この保持筒の座板に近い基部内面に形成された環堤部とを有する固定部材に対し、内端部に上記環堤部を潜り抜けることかできる小径部を形成し、内側に内筒を回動可能に嵌装した外筒を有するシリンダ錠を着脱可能に装着するものであって、上記保持筒の環堤部に関しシリンダ錠とは反対側における保持筒内にテールピースを回動可能に配設し、このテールピースの外端面に、前方に付勢され、テールピースの外端面への投影形状が異形のクラッチを前後方向に移動可能に案内すると共に、このクラッチに対向する内筒の内端面に上記クラッチと嵌合する異形孔を開口させ、以て、シリンダ錠が保持筒に収納され、クラッチが内筒内端面の異形孔と嵌合しているときには、シリンダ錠の内筒とテールピースとを円周方向において拘束して、内筒とテールピースとが一体的に回動できるようにし、一方、上記シリンダ錠が外方に抜け出ることを防止するため、上記環堤部の一の角度位置に、内端が外筒の小径部を貫通して内筒の外周面に接合する抜け止板を内筒の半径方向に移動可能に案内すると共に内方に付勢し、他方、上記抜け止板を外方に押動してシリンダ錠を抜け止板から解放するため、シリンダ錠の軸線方向において抜け止板と同じ位置にあり、抜け止板とは異なる角度位置における内筒に、半径方向に移動可能に案内され、内端がシリンダ錠の鍵孔と干渉する抜き取り板を設け、シリンダ錠を保持筒から抜き取るとき、合鍵の先端を長くした変換用合鍵を鍵孔に挿入することによってクラッチを内筒内端面の異形孔から抜き外し、以て内筒をテールピースから自由にし、更に内筒を所定の方向に回動させて抜き取り板と抜け止板の角度位置を合わせ、次いで、変換用合鍵を鍵孔から抜き、この変換用合鍵に代えて、先端を斜に削いだ抜き取り専用キーを鍵孔に挿入することにより、抜き取り専用キーと抜き取り板との間に生じる楔作用により抜き取り板を外方に移動させ、抜き取り板と抜け止板との接合部を外筒と上記環堤部との接合線に合致させることによりシリンダ錠を保持筒から抜くようにしたことを特徴とする。
【０００９】
また、請求項２に記載の発明は、取付対象物に固定される座板と、この座板の外面に突設され、両端が開口した保持筒と、この保持筒の座板に近い基部内面に形成された環堤部とを有する固定部材に対し、内端部に上記環堤部を潜り抜けることかできる小径部を形成し、内側に内筒を回動可能に嵌装した外筒を有するシリンダ錠を着脱可能に装着するものであって、上記保持筒の環堤部に関しシリンダ錠とは反対側における保持筒内にテールピースを回動可能に配設し、このテールピースの外端面に、前方に付勢され、テールピースの外端面への投影形状が異形のクラッチを前後方向に移動可能に案内すると共に、このクラッチに対向する内筒の内端面に上記クラッチと嵌合する異形孔を開口させ、以て、シリンダ錠が保持筒に収納され、クラッチが内筒内端面の異形孔と嵌合しているときには、シリンダ錠の内筒とテールピースとを円周方向において拘束して、内筒とテールピースとが一体的に回動できるようにし、一方、上記シリンダ錠が外方に抜け出ることを防止するため、上記環堤部の一の角度位置に、内端が外筒の小径部を貫通して内筒の外周面に接合する抜け止板を内筒の半径方向に移動可能に案内すると共に内方に付勢し、他方、上記抜け止板を外方に押動してシリンダ錠を抜け止板から解放するため、シリンダ錠の軸線方向において抜け止板と同じ位置にあり、抜け止板とは異なる角度位置における内筒に、半径方向に移動可能に案内され、内端がシリンダ錠の鍵孔と干渉する抜き取り板を設け、シリンダ錠を保持筒から抜き取るとき、先端に変換用チップを装着した合鍵を鍵孔に挿入することによってクラッチを内筒内端面の異形孔から抜き外し、以て内筒をテールピースから自由にし、更に内筒を所定の方向に回動させて抜き取り板と抜け止板の角度位置を合わせ、次いで、変換用合鍵を鍵孔から抜き、この変換用合鍵に代えて、先端を斜に削いだ抜き取り専用キーを鍵孔に挿入することにより、抜き取り専用キーと抜き取り板との間に生じる楔作用により抜き取り板を外方に移動させ、抜き取り板と抜け止板との接合部を外筒と上記環堤部との接合線に合致させることによりシリンダ錠を保持筒から抜くようにしたことを特徴とする。
【発明の効果】
【００１０】
上記のように構成された請求項１及び２に記載された発明は、取付対称物に固定されて取り外しが困難な固定部材からシリンダ錠のみを簡単に取り外すことができるので、取り外したシリンダ錠を例えば新しい遊戯台に装着することにより、資源の無駄使い及び環境の悪化を防止できる、という所期の目的を達成する。
【００１１】
また、請求項２に記載の発明によれば、変換用合鍵を合鍵とは別個に用意すべき請求項１に記載の発明と比較して、合鍵の先端に簡単な構成の変換用チップを装着すれば変換用合鍵を構成することができるので、資源の無駄使い及び環境の悪化の防止に更に資する。
【発明を実施するための最良の形態】
【００１２】
シリンダ錠の小径部の外筒を抜け止め板に貫通させることによりシリンダ錠の抜け止めを行い、この抜け止め板と外筒との係合を解除するため、先端を長くした変換用合鍵によりシリンダ錠を解錠して内筒を自由にするようにしたので、シリンダ錠の着脱の際の安全性を確保し、また、シリンダ錠の内筒に設けた抜き取り板を内筒の回動を利用して抜け止め板に位置合せをし、更に、各シリンダ錠に共通の抜き取り専用キーを鍵孔に差込むことにより抜き取り板を外方に押動して抜け止め板と外筒との係合を解くようにした。
【実施例１】
【００１３】
以下、請求項２に記載された発明の一実施例を図面を参照して説明する。
ちなみに、請求項１に記載された発明は、シリンダ錠を保持筒から抜き外すとき合鍵の先端を延長した変換用合鍵を用いるが、請求項２に記載された発明においては、合鍵１８（図６参照）の先端に変換用チップ１７を装着する点だけが異なる。
【００１４】
図１及び図２において符号１は座板を示し、この座板１は、付番しないねじ穴を利用して、遊戯台の点検扉等の取付対象物に固定される。
【００１５】
この座板１の外面側（図２で左側）には両端が開いた保持筒２が一体に突設されており、この保持筒２の座板１に近い方の基部内面に環堤部３（図２参照）が一体に形成されている。
【００１６】
なお、これら座板１、保持筒２及び環堤部３を一体に結合に結合したものを固定部材４と総称することにし、本発明による着脱機構においては、全体を符号５で示すシリンダ錠はこの固定部材４に対し着脱される。
【００１７】
一方、上記シリンダ錠５は、図２に示すように、内端部に上記環堤部３を潜り抜けることができる小径部（付番しない）を形成し、内側に内筒５を回動可能に嵌装した外筒７（何れも図１参照）を有する。
【００１８】
なお、シリンダ錠には種々の形式のものが有り、図示の実施例では、シリンダ錠として前記特許文献１に記載された可変シリンダ錠を採用しているが、特に図示のシリンダ錠に限定されるものではない。
【００１９】
また、図示の実施例におけるシリンダ錠の構造及び作動については、前記特許文献１に詳細に記載されているので、また、本発明はシリンダ錠の種類の如何に拘らず成立するので、更に詳細な説明を省略する。
【００２０】
更にまた、同様の理由により、図２ではシリンダ錠の内端部を除いて主要部の図示を省略している。
【００２１】
他方、図２に示すように、上記保持筒の環堤部３に関しシリンダ錠とは反対側、換言すれば環堤部の右側にはテールピース８が回動可能に配設されている。
【００２２】
そして、このテールピース８の外端面に、クラッチばね９の弾力により前方（図２で左方）に付勢されたクラッチ１１が前後方向に移動可能に案内されている。
【００２３】
なお、ここではクラッチ１１とは図３に立方体状の小さな突起をいうものとし、このクラッチ１１は、図３に示す全体の形状がコ字形のスライダ１２の前端面中央に突設されている。
【００２４】
上記クラッチ１１は、常態、すなわちクラッチばね９以外の外力が作用していないときには、このクラッチに対向する内筒６の内端面に開口する方形の異形孔（付番しない）に嵌合している。
【００２５】
そのため、シリンダ錠５が保持筒２内に収納され、上記クラッチ１１が内筒内端面の上記異形孔に嵌入しているときには、シリンダ錠の内筒６とテールピース８とが円周方向において拘束され、内筒とテールピースが一体的に回動する。
【００２６】
なお、図２及び図３に示すクラッチのスライダ１２の前後方向に延在する一対の杆体は、前記テールピース８のフランジ部を貫通して、座板１の裏面側にかしめ付けられた裏板１３（図４参照）の付番しない開口から覗いている。
【００２７】
一方、保持筒２内に収納されたシリンダ錠５が外方に抜け出ることを防止するため、図２及び図５に示すように、前記環堤部３の一の角度位置（図５で時計盤面に換算して１２時の角度位置）に、全体の形状が略Ｔ字形の抜け止め板１４が配設され、シリンダ錠の半径方向に移動可能に案内されている。
【００２８】
この抜け止め板１４は、常態においては、付番しない圧縮コイルばねにより内方に付勢され、内端がシリンダ錠の内筒小径部を貫通して内筒６の外周面に接合している。
【００２９】
図示の実施例では、抜け止め板１４の内端面は内筒外周面と同径の円弧状に成形され、内筒外周面と円弧をなす面で接合している。
【００３０】
そのため、シリンダ錠５は、外筒小径部の円周方向に沿うスリットと抜け止め板１４との係合を介して、保持筒２に係止され、固定部材４に装着されることになる。
【００３１】
なお、抜け止板１４及びその付勢ばねが環堤部３におけるそれらの付番しない案内溝から外れて落ちないように、それらの後ろ側（図２で右側）に抜け止め蓋１０が嵌着されている。
【００３２】
他方、上記抜け止め板１４による固定部材４への固定（連結）を解き、シリンダ錠を保持筒２から抜き外すため、換言すれば、抜け止め板１４を外方に押動してシリンダ錠５を抜け止め板１４から解放するため、図５に示すように、内筒６側に抜き取り板１５が設けられている。
【００３３】
この抜き取り板１５は、シリンダ錠の軸線方向において抜け止め板１４と同じ位置にあり、シリンダ錠の施錠時においては、内筒において抜け止め板とは異なる角度位置（図５で時計盤面に換算して６時の角度位置）にある。
【００３４】
また、抜き取り板１５はシリンダ錠の半径方向に移動可能に案内されており、その外端（図５で下端）は抜き止め板１４の内端と同じ曲率半径の凸状に成形されている。
【００３５】
更にまた、その内端は、シリンダ錠の鍵孔１６の奥の方において鍵孔と干渉するが、後述する合鍵の変換用チップ１７とは干渉しない形状に成形されている。
【００３６】
なお、保持筒２内に収納され、抜け止板１４により保持筒に係止されたシリンダ錠５は、通常の使用状態では図６に示す合鍵１８の先端から変換用チップ１７を取外したものを施解錠に使用する。
【００３７】
ちなみに、図６に示す合鍵１８の先端は少し延長されて根元が括れた係合突起１９が形成され、この係合突起１９に、これと形状係合できる切欠２１を有する変換用チップ１７が嵌合している。
【００３８】
そして、前記クラッチ１１（図２参照）の内筒軸線方向の位置は、変換用チップ１７を先端から取外した合鍵１８を鍵孔に差し込んだとき、その先端の係合突起１９がクラッチ１１と干渉しないように、奥の方に設定されている。
【００３９】
したがって、合鍵を所定の方向に回すことにより、通常のシリンダ錠におけると同様に、シリンダ錠の施解錠を行うことができる。
【００４０】
一方、シリンダ錠を保持筒２から取外すときには、図６に示すように先端に変換用チップ１７を装着した合鍵１８を鍵孔に挿入する。
【００４１】
そうすると、変換用チップ１７は抜き取り板１５より奥の方に進入するが、図５に示すように、抜き取り板１５の内端部の形状は変換用チップ１７と干渉しないように略Ｕ字形に成形されているので、変換用チップ１７はこのＵ字形の切欠を通過してクラッチ１１をテールピース８方向に押動し、前記したように、テールピース８とシリンダ錠の内筒６とを切り離す。
【００４２】
このとき、クラッチ１１と一体のスライダ１２の後端が裏板１３の開口に嵌まり込み、テールピース８を裏板１３に縫い付ける。
【００４３】
これは、後述の内筒の回動に伴いテールピース８が従動して回動することを防止するためであるが、テールピースが図示しない錠止機構の例えばクリック機構に連結され、回動しない構造であるときにはテールピースを裏板１３に縫い付ける構造は必要がない。
【００４４】
一方、鍵孔に合鍵を差し込むのであるから、当然シリンダ錠は解錠され内筒６が回動可能になる。
【００４５】
そして、図示の実施例では、シリンダ錠を保持筒２から取外すため、変換用チップ１７を先端に装着した合鍵を鍵孔に挿入した後、これを所定の方向に１８０度回転させる。
【００４６】
ちなみに、通常の使用状態におけるシリンダ錠の内筒の回動角度は約１００度である。
【００４７】
すると、抜き取り板１５も１８０度回動し、図７に示すように、抜き取り板の外端と抜け止板１４の内端が円弧に沿って接合するに至る。
【００４８】
この状態で先端に変換用チップ１７を装着した合鍵を鍵孔から抜き外し、図８及び図９に示すように先端を斜めに削いだ、すなわち、先端を厚さ方向においても幅方向においても斜めに削いだ抜き取り専用キー２２を鍵孔に挿入する。
【００４９】
すると、抜き取り専用キー２２の先端に形成された傾斜端縁と抜き取り板１５の内端部との間に生じる楔作用により抜き取り板１５が外方に押動され、図１０に示すように、抜け止板１４の円弧状の内端縁がシリンダ錠の外筒７の外周面に整合する。
【００５０】
したがって、抜き取り専用キー２２をちょっと捻り気味に回して鍵孔と抜き取り専用キー２２との間に摩擦抵抗を生じさせ、その状態で抜き取り専用キーを引き出すと、シリンダ錠も一緒に引き出される。すなわち、シリンダ錠を固定部材から取外すことができる。
【００５１】
ちなみに、シリンダ錠を抜き取って空になった保持筒２に他のシリンダ錠を装着するには、図５に示すように内端を環堤部内に少し突出させた抜き止め板１４の内端部外面に面を取り（図２参照）、新たなシリンダ錠の挿入時その外筒の内端と上記面取り部との間に生じる楔作用により抜け止板１４を円周方向外方に押動し、更にシリンダ錠を内方に進入させて、シリンダ錠外筒の小径部に形成されてスリットに抜け止板を落とす。
【００５２】
また、請求項１に記載の発明においては、図６に示すように変換用チップを着脱可能に装着した合鍵の代わりに、合鍵の先端に変換用チップ１７と同形の延長部を一体に形成したものを変換用合鍵として用いる。
【図面の簡単な説明】
【００５３】
【図１】シリンダ錠を内蔵した固定部材の一部断面正面図。
【図２】その縦断面図で、シリンダ錠の内部構造を省略して示す。
【図３】クラッチの外観斜視図。
【図４】シリンダ錠を内蔵した固定部材の背面図。
【図５】通常の使用状態の施錠時を示す。
【図６】先端に変換用チップを装着した合鍵の平面図。
【図７】図２のＡ−Ａ‘線による断面図で、変換用チップを装着した合鍵を鍵孔に挿入し、１８０度回した状態を示す。
【図８】抜き取り専用キーの平面図。
【図９】抜き取り専用キーの側面図。
【図１０】図２のＡ−Ａ‘線による断面図で、図７に示す状態から合鍵を抜き、抜き取り専用キーを鍵孔に挿入した状態を示す。
【符号の説明】
【００５４】
１  座板
２  保持筒
３  環堤部
４  固定部材
５  シリンダ錠
６  内筒
７  外筒
８  テールピース
９  クラッチばね
１０  抜け止め蓋
１１  クラッチ
１２  スライダ
１３  裏板
１４  抜け止板
１５  抜き取り板
１６  鍵孔
１７  変換用チップ
１８  合鍵
１９  係合突起
２１  切欠
２２  抜き取り専用キー
【図１】
2008121380.tif 000003
【図２】
2008121380.tif 000004
【図３】
2008121380.tif 000005
【図４】
2008121380.tif 000006
【図５】
2008121380.tif 000007
【図６】
2008121380.tif 000008
【図７】
2008121380.tif 000009
【図８】
2008121380.tif 000010
【図９】
2008121380.tif 000011
【図１０】
2008121380.tif 000012